(57)【要約】【課題】居住者に家事のシェアを促す世帯向け住宅を提供する。【解決手段】住宅（２０）は、洗濯機が置かれるための洗濯機区画（Ｓ）、洗濯機に給水するための給水設備、および洗濯機からの排水を受け取るための排水設備を有する水回り領域（２６）と、物干し設備（２７ｃ）を有し、リビング領域（２９）に隣接するとともに当該リビング領域と扉レスで連通可能に構成される乾燥室と（２７）を備える。【選択図】図１Ａ
2018178536.tif 000002
【特許請求の範囲】
【請求項１】
洗濯機が置かれるための洗濯機区画、前記洗濯機に給水するための給水設備、および前記洗濯機からの排水を受け取るための排水設備を有する水回り領域と、
物干し設備を有し、リビング領域およびダイニング領域の少なくとも一方に隣接するとともに当該少なくとも一方領域と扉レスで連通可能に構成される乾燥室とを備える、住宅。
【請求項２】
前記リビング領域および前記ダイニング領域の少なくとも一方は、キッチン領域と扉レスで連通可能に構成される、請求項１に記載の住宅。
【請求項３】
前記水回り領域は、
洗面台を有する洗面室と、
前記洗濯機区画、前記給水設備、および前記排水設備を有する洗濯室と、
前記洗面室と前記洗濯室を接続する第１出入口とを含む、請求項１または２に記載の住宅。
【請求項４】
前記乾燥室と前記リビング領域との境界、および／または前記乾燥室と前記ダイニング領域との境界に、作業台が設置される、請求項１〜３のいずれかに記載の住宅。
【請求項５】
前記住宅の間取りに関し、前記乾燥室と前記リビング領域、および／または前記乾燥室と前記ダイニング領域が、両者の境界全体で連通する、請求項１〜３のいずれかに記載の住宅。
【請求項６】
前記水回り領域と前記乾燥室は互いに隣接し、
前記水回り領域と前記乾燥室を接続する第２出入口とをさらに備える、請求項１〜５のいずれかに記載の住宅。
【請求項７】
前記水回り領域と前記リビング領域を接続する、および／またはは前記水回り領域と前記ダイニング領域を接続する第３出入口をさらに備える、請求項６に記載の住宅。
【請求項８】
屋外バルコニーと前記乾燥室を接続する第４出入口をさらに備える、請求項１〜７のいずれかに記載の住宅。
【請求項９】
前記住宅は、間隔を空けて配置される２枚の戸境壁の間口、あるいは間隔を空けて配置される１枚の戸境壁と建物外壁の間口を占める集合住宅であり、
前記リビング領域および前記乾燥室、あるいは前記ダイニング領域および前記乾燥室が、前記間口全体を占める、請求項１〜８のいずれかに記載の住宅。
【発明の詳細な説明】
【技術分野】
【０００１】
本発明は、複数人の居住者向けのファミリータイプ住宅、特に共働き世帯向けの住宅に関する。
【背景技術】
【０００２】
住宅は、寝室や居室のような居住者がくつろぐための居間スペースと、炊事や洗濯のような家事のための家事スペースを備えることが常套である。一例として、特開２０００−８０８０９号公報（特許文献１）に記載のごときものが知られている。特許文献１に記載の住宅は、三階建て住宅において、２階にリビング室およびユーズフルスペースを設けるというものである。特許文献１は、ユーズフルスペースで行われる行為として、着替え、化粧、身支度、洗濯物たたみ片付け、入浴準備片付け等の短時間行為を例示する。
【先行技術文献】
【特許文献】
【０００３】
【特許文献１】特開２０００−８０８０９号公報
【発明の概要】
【発明が解決しようとする課題】
【０００４】
昨今、夫婦共に外で働く共働き世帯が多くなっている。日常生活において、ファミリーの構成員である居住者は日中に外出し、夕方以降に帰宅することが多い。共働き世帯は外出時間が長いにもかかわらず、居住者数に比例して多くなる家事をこなさなければならない。特に未成年者を含む世帯や幼児を含む世帯にあっては多くの家事を効率良くこなすことが切実な課題である。
【０００５】
また家事は、特定の居住者、例えば母親や妻、に偏りがちである。このため、他の居住者が家事を手伝ったり参加したりし易い、家事のシェアを促す間取りが望まれる。
【０００６】
そこで本発明者は、従来と比較して、リビング室と家事をこなす部屋との間に短くシンプルな家事動線を構成することによって、また家事をこなす部屋からリビング室までの視認性を高めることによって、共働き世帯の居住者に家事のシェアを促し、家事が特定の居住者に偏ることを是正し、もって家事を効率良くこなすことに着想するに至った。
【０００７】
つまり特許文献１に記載される従来の住宅の間取りにあっては、リビング室とユーズフルスペースが離隔して配置される間取りであるため、一居住者がユーズフルスペースで洗濯物たたみ片付け等の家事をこなしている間、リビング室（単にリビングともいう）に居る他の居住者から隔絶されてしまう。そうするとリビング室に居る居住者の視界には、家事が入らず、家族の中で家事のシェアが促されない。
【０００８】
本発明は、上述の実情に鑑み、ファミリーの構成員である居住者が家事に参加し易く、またリビング内に居る居住者とリビング外で家事をこなす居住者との間で会話可能な間取りを備え、居住者に家事のシェアを促す世帯向け住宅を提供することを目的とする。
【課題を解決するための手段】
【０００９】
この目的のため本発明による住宅は、洗濯機が置かれるための洗濯機区画、前記洗濯機に給水するための給水設備、および前記洗濯機からの排水を受け取るための排水設備を有する水回り領域と、物干し設備を有しリビング領域およびダイニング領域の少なくとも一方に隣接するとともに当該少なくとも一方領域と扉レスで連通可能に構成される乾燥室とを備える。
【００１０】
かかる本発明によれば、乾燥室とリビング領域および／またはダイニング領域（以下、リビング領域等ともいう）とが扉レスで連通可能に構成されるので、乾燥室とリビング領域等との間で居住者が容易に移動することができる。また乾燥室の内部がリビング領域等に居る居住者の視界に入る。したがって家事スペースである乾燥室と、居間スペースであるリビング領域等を連絡する家事動線が構成され、リビング領域に居る居住者に家事へ参加することを促すことができる。したがって洗濯に関する家事が、特定の居住者(例えば母親や妻)に集中しないよう、居住者全員でシェアされて、洗濯に関する家事を短時間で効率良く完了することができる。特に共働き世帯にあっては１日２４時間あると雖も家族全員が帰宅して同じ屋根の下で会話することができる機会は短いところ、家族の中で会話する時間を確保でき、乾燥室で家事を楽しくこなすことができる。なお扉レスとは、隣接する２室の境界に内扉を有しないことをいう。扉レスで連通可能とは居住者が行き来可能であることをいい、カーテン、のれん等で簡易に仕切られることを許容する。隣接する２室は、扉レスで連通可能とされることで互いに連続し、居住者が２室間を容易に行き来できる。
【００１１】
本発明のリビング領域およびダイニング領域は、内壁で区切られてリビング室およびダイニング室というように個々に室を構成してもよい。あるいはリビング領域およびダイニング領域は内扉で連通してもよい。あるいはリビング領域およびダイニング領域は、扉レスで連通してまとまった１つの室を構成してもよい。一実施形態としてリビング領域およびダイニング領域の少なくとも一方は、キッチン領域と扉レスで連通する。かかる実施形態によれば１つ大部屋であってＤＫとも称されるダイニングキッチン室と、乾燥室とを隣接させ、両室を連通させることができる。あるいは１つ大部屋であってＬＤＫとも称されるリビングダイニングキッチン室と、乾燥室とを隣接させ、両室を連通させることができる。他の実施形態としてキッチン室は内壁および内扉でリビング領域およびダイニング領域と区切られる。
【００１２】
本発明による水回り領域は、１室または複数室から構成され、洗面台を含んでもよい。好ましい実施形態として本発明による水回り領域は、洗面台を有する洗面室と、洗濯機が置かれるための洗濯機区画、洗濯機に給水するための給水設備、および洗濯機からの排水を受け取る排水設備を有する洗濯室とを含む。かかる実施形態によれば、水回り領域を洗面室および洗濯室に区分することができる。
【００１３】
リビング領域と乾燥室の境界は、少なくとも一部が連通可能、あるいは少なくとも一部が常時連通すればよい。本発明の一実施形態として、乾燥室とリビング領域等との境界に作業台が設置される。かかる実施形態によれば、リビング領域等と乾燥室の境界の一部を連通可能とし、当該境界の残り部分に設置される作業台の天板上でリビング領域等に居る居住者は家事に参加することができる。本発明の他の実施形態として住宅の間取りに関し、乾燥室とリビング領域等とが、両者の境界全体で連通する。かかる実施形態によれば、リビング領域等から乾燥室に向かって、あるいは逆方向に、視界が広く確保されて、リビング領域等に居る居住者に対して家事への参加を益々促すことができる。
【００１４】
水回り領域と乾燥室の位置関係は特に限定されないが、お互い近い程良い。好ましい実施形態として水回り領域と乾燥室は互いに隣接し、住宅は水回り領域と乾燥室を接続する第２出入口とをさらに備える。かかる実施形態によれば、水回り領域と乾燥室とリビング領域等を連絡する家事動線が構成され、さらに当該家事動線を短くすることができる。したがって家事を効率的にこなすことができる。
【００１５】
本発明の好ましい実施形態として住宅は、洗面室等の水回り領域とリビング領域を接続する第３出入口をさらに備える。かかる実施形態によれば、家事スペースである洗面室、洗濯室、乾燥室等の水回り領域と、乾燥室と、居間スペースであるリビング領域とを連絡し、水回り領域に戻る回遊式の家事動線が構成される。これにより、リビング領域等に居る居住者に家事へ参加することを一層促すことができる。他の実施形態として住宅は、水回り領域とダイニング領域を接続する第３出入口をさらに備える。
【００１６】
本発明の一実施形態として住宅は、バルコニーと乾燥室を接続する第４出入口をさらに備える。かかる実施形態によれば、洗濯室からバルコニーまで延びる家事動線が最短距離で構成される。したがって濡れた衣類を洗濯室からバルコニーへ運搬して屋外で干す家事と、乾いた衣類をバルコニーから乾燥室に取り込んで小さく折り畳む家事と、濡れた衣類をバルコニーから乾燥室へ取り込んで干す家事を、短い家事動線で効率良く行うことができる。
【００１７】
本発明の一実施形態として住宅は、間隔を空けて配置される２枚の戸境壁の間口、あるいは間隔を空けて配置される１枚の戸境壁と建物外壁の間口を占める集合住宅であり、リビング領域等および乾燥室が間口全体を占める。かかる実施形態によれば、小型の住宅において楽しく家事をこなすことができる。他の実施形態としてリビング領域等および乾燥室が間口の一部を占め、間口の残部を他の部屋が占めてもよい。他の実施形態として本発明の住宅は、戸建である。
【発明の効果】
【００１８】
このように本発明によれば、居住者はリビング領域等の近くで楽しく家事をこなすことができ、ファミリーの中で家事のシェアを促すことができる。したがって共働きファミリーにおいて頗る有利である。
【図面の簡単な説明】
【００１９】
【図１Ａ】本発明の第１実施形態になる住宅の間取りを示す平面図である。
【図１Ｂ】同実施形態の乾燥室を取り出して示す平面図である。
【図２】同実施形態の住宅を建物縦方向に直交する平面で切断し、切断面を表す断面図である。
【図３】同実施形態の住宅を建物横方向に直交する平面で切断し、切断面の一部を表す断面図である。
【図４】同実施形態の住宅を建物横方向に直交する平面で切断し、切断面の一部を表す断面図である。
【図５】同実施形態を具備する建物の住戸レイアウトを示す平面図である。
【図６】本発明の第２実施形態になる住宅の間取りを示す平面図である。
【図７】本発明の第３実施形態になる住宅の間取りを示す平面図である。
【図８】本発明の第４実施形態になる住宅の間取りを示す平面図である。
【図９】本発明の第５実施形態になる住宅の間取りを示す平面図である。
【図１０】参考例１になる住宅の間取りを示す平面図である。
【図１１】参考例２になる住宅の間取りを示す平面図である。
【図１２】参考例３になる住宅の間取りを示す平面図である。
【図１３】参考例４になる住宅の間取りを示す平面図である。
【発明を実施するための形態】
【００２０】
以下、本発明の実施の形態を、図面に基づき詳細に説明する。図１Ａおよび図１Ｂは、本発明の第１実施形態になる住宅の間取りを示す平面図である。図５は、本実施形態の住宅を複数具備する建物の住戸レイアウトを示す平面図である。図５に示すように本実施形態の住宅１０，２０，６０はいずれも集合住宅であり、これら複数の住宅が一棟の建物を構成する。この建物の階数は特に限定されない。
【００２１】
この建物は、概ね直方体であって、例えば南北方向（以下、建物縦方向という）に相対的に短く延びる２枚の外壁８０，８０と、例えば東西方向（以下、建物横方向という）に相対的に長く延びる２枚の外壁８１，８２を具備する。外壁８０，８１，８２には窓を設けてもよい。また外壁８１には玄関扉２１ｄが設けられる。発明の理解を容易にするため本明細書では東西南北を例示するが、建物の方位は本実施形態に限定されない。
【００２２】
各住宅１０，２０，６０は、１フロア上で建物横方向に１列に整列しており、外壁８１，８２および戸境壁７０で区画される。また両端の住宅１０，６０は、外壁８０，８１，８２および戸境壁７０で区画される。建物両側の外壁８０，８０と複数の戸境壁７０は、建物横方向に所定の間隔を空けて配置される。また建物横方向両側の外壁８０，８０と複数の戸境壁７０は、平行に配置される。隣り合う戸境壁７０，７０の間隔や、隣り合う戸境壁７０と外壁８０の間隔は適宜選定される。これにより、各住宅１０，２０，６０の住戸面積が個別に設定される。建物は屋外に共用廊下９０およびバルコニー２８をさらに具備する。共用廊下９０は、建物縦方向一方（以下、北側ともいう）の外壁８１に沿って建物横方向に延び、各住宅１０，２０，６０の玄関扉２１ｄと接続する。バルコニー２８は建物縦方向他方（以下、南側ともいう）の外壁８２に附設される。住宅１０，２０，６０は概ね共通する間取りを備える。そこで以下の説明では、住宅１０，２０，６０のうち住宅２０を代表して説明する。
【００２３】
図１Ａに示す間取り（平面図）を参照して、住宅２０は、１フロアの床上に、玄関区画２１、廊下２２、トイレ室２３、浴室２４、洗面室２５、洗濯室２６、乾燥室２７、バルコニー２８、リビングダイニング領域２９、キッチン領域３０、寝室４０、および図示しない天井を備え、ここに述べる順序でこれらの部屋は時計回りに配置される。これらの部屋は原則として、戸境壁７０と、住宅２０内に設置される内壁と、後述する開閉可能な出入口３１〜３８で区画される。ただしリビングダイニング領域２９およびキッチン領域３０の境界４１と、乾燥室２７およびリビングダイニング領域２９の境界４２は、内壁によって仕切られていない。具体的にはリビングダイニング領域２９およびキッチン領域３０が、扉レスで連続し、１つの大部屋としていわゆるリビングダイニングキッチン室（ＬＤＫともいう）を構成する。
【００２４】
より具体的には、リビングダイニング領域２９がキッチン領域３０よりも数倍の面積を擁する。そしてリビングダイニング領域２９は食事以外のためのリビング領域および食事のためのダイニング領域を含む。なお図示はしなかったが、リビングダイニング領域２９とキッチン領域３０の境界４１には、天井から所定寸法で垂下する垂れ壁を設けてもよい。境界４２については後で詳細に説明する。
【００２５】
詳しくは後述するが、洗面室２５と洗濯室２６と乾燥室２７は連続して配置される。これにより衣類の洗濯に関する家事と、衣類の屋内乾燥に関する家事と、衣類を畳んで小さくする家事を、短い家事動線で効率良くこなすことができる。さらにバルコニー２８が乾燥室２７に隣接して配置されることにより、濡れた衣類を洗濯室２６からバルコニー２８へ運搬して屋外で干す家事を、短い家事動線で効率良く行うことができる。
【００２６】
隣り合う戸境壁７０，７０の距離、つまり住宅２０の間口、は例えば５［ｍ］である。各戸境壁７０は建物縦方向（南北方向）に延び、その長さは例えば１０［ｍ］である。つまり本実施形態の住宅２０は例えば５０平米の屋内面積を有する集合住宅である。
【００２７】
建物縦方向に関し、玄関区画２１および寝室４０は住宅２０の建物縦方向一方（北側）に配置される。乾燥室２７、バルコニー２８、およびリビングダイニング領域２９は住宅２０の建物縦方向他方（南側）に配置される。残りの部屋は住宅２０の中央部に配置される。
【００２８】
建物横方向に関し、玄関区画２１、トイレ室２３、浴室２４、洗面室２５、洗濯室２６、および乾燥室２７は住宅２０の建物横方向一方（以下、東側ともいう）に配置される。リビングダイニング領域２９、キッチン領域３０、および寝室４０は住宅２０の建物横方向他方（以下、西側ともいう）に配置される。浴室２４、洗面室２５、洗濯室２６は水回り領域に含まれる。本実施形態では、浴室２４、洗面室２５、洗濯室２６といった水回り領域がまとめて配置される。
【００２９】
キッチン領域３０はリビングダイニング領域２９の北側に隣接して配置される。このキッチン領域３０は、調理装置および流し台および上下水道に接続される炊事作業台３０ｄと、収納棚３０ｔと、冷蔵庫区画Ｒを含む。炊事作業台３０ｄと収納棚３０ｔは建物縦方向に間隔を空けて配置され、居住者は炊事作業台３０ｄと収納棚３０ｔとの間に立ったりしゃがんだりして台所に関する家事をこなすことができる。本実施形態の炊事作業台３０ｄは、キッチン領域３０の南側に配置されて、リビングダイニング領域２９に隣接する。これにより本実施形態はいわゆる対面式キッチンを構成するので、炊事作業台３０ｄの上方で、キッチン領域３０からリビングダイニング領域２９に向かって、あるいは逆方向に、視界が確保される。
【００３０】
バルコニー２８は、屋外にあって住宅２０の間口と同じ長さで建物横方向に延びる。リビングダイニング領域２９および乾燥室２７は屋内にあってバルコニー２８の北側に隣接して配置される。またリビングダイニング領域２９および乾燥室２７は建物横方向に互いに隣接する。屋内のリビングダイニング領域２９と屋外のバルコニー２８との境界には開閉可能なガラス戸４５が設けられる。ガラス戸４５を開放することによりリビングダイニング領域２９とバルコニー２８は連通し、居住者の行き来が可能になる。バルコニー２８には、物干し設置具２８ｃが設けられる。物干し設置具２８ｃは長尺な物干し竿Ｉ、ハンガー、えもんがけ等を支持可能である。バルコニー２８の建物横方向一方領域が乾燥室２７に隣接することに対応して、物干し設置具２８ｃはバルコニー２８の建物横方向一方領域に取付固定される。これにより洗濯室２６から物干し設置具２８ｃまでの家事動線Ｎが短くされる。家事動線Ｎは洗濯室２６から乾燥室２７を経由してバルコニー２８まで最短距離で延びることが理解される。
【００３１】
居住者は晴れの日に、濡れた衣類を洗濯室２６から乾燥室２７を経由してバルコニー２８へ運搬し、物干し設置具２８ｃに吊るして乾かすとよい。あるいは天候が悪くなると、衣類をバルコニー２８から乾燥室２７に取り込み、乾燥室２７で屋内乾燥させるとよい。
【００３２】
図３は住宅２０を建物横方向に直交する平面で切断し、切断面を建物横方向一方（東側）からみた状態を表す断面図である。家事動線Ｎは洗面室２５まで延長可能である。また図１Ａを参照して、家事動線Ｎは浴室２４まで延長可能である。
【００３３】
乾燥室２７はリビングダイニング領域２９よりも小さな面積の空間であり、例えば正方形といった矩形の間取りに形成される。建物縦方向に長く延びるリビングダイニング領域２９に対し、乾燥室２７は建物縦方向に短い寸法にされてリビングダイニング領域２９の隅部と接続する。乾燥室２７およびリビングダイニング領域２９は扉レスで連続し、乾燥室２７とリビングダイニング領域２９の境界には、内壁も開閉可能な出入口も設けられていない。つまり乾燥室２７は、リビングダイニング領域２９と常時連通する。そして居住者は、乾燥室２７とリビングダイニング領域２９の間を容易に行き来することができる。なお図示はしなかったが、リビングダイニング領域２９と乾燥室２７の境界４２には、天井から所定寸法で垂下する垂れ壁を設けてもよい。あるいは図示しない変形例として境界４２に、カーテンレール、あるいはライトスルースクリーン等を設けて、乾燥室２７とリビングダイニング領域２９を簡易に仕切ってもよい。いずれにせよリビングダイニング領域２９と乾燥室２７は、互いに隣接し、居住者が通り抜けできるよう連通可能に構成される。
【００３４】
乾燥室２７は、建物横方向他方でリビングダイニング領域２９と接続し、建物縦方向一方で後述する洗濯室２６と接続し、これら２つの接続箇所を通る家事動線Ｍを構成する。本明細書中、家事動線Ｍにおける床は面一であることが好ましい。
【００３５】
図２は、住宅２０を建物縦方向に直交する平面で切断し、切断面を建物縦方向他方（南側）からみた状態を表す断面図である。居住者は家事動線Ｍに沿って乾燥室２７およびリビングダイニング領域２９間を自由に往来可能である。
【００３６】
乾燥室２７は、寝室４０よりも小さく、寝間としての利用は想定されない。バルコニー２８の長さが５［ｍ］である本実施形態において、建物横方向に計測される乾燥室２７の寸法は２［ｍ］未満である。
【００３７】
乾燥室２７は物干し設備２７ｃ、卓状の作業台２７ｄ、および図示しない乾燥設備が設けられる。本実施形態の作業台２７ｄはリビングダイニング領域２９に隣接配置される。なお作業台２７ｄは、住宅２０に固定されていてもよいし、あるいは移動可能なテーブルであってもよい。いずれにせよ図２に示すように作業台２７ｄの上方で、リビングダイニング領域２９から乾燥室２７に向かって、あるいは逆方向に、視界が確保される。なお図示はしないが作業台２７ｄの天板を可動式とし、この天板をリビングダイニング領域２９と乾燥室２７の境界４２で立ち上げて上述した視界の一部を遮蔽する衝立として兼用できる構成であってもよい。図１Ａに示すように作業台２７ｄは外壁８２から離隔して設置され、両者間には家事動線Ｍとしての通路が確保される。
【００３８】
物干し設備２７ｃは乾燥室２７に１または複数箇所設けられる。本実施形態では、１の物干し設備２７ｃが戸境壁７０と隣り合って配置され、他の物干し設備２７ｃが図１Ｂに示すように作業台２７ｄの直上で境界４２と隣り合って配置される。物干し設備２７ｃ、２７ｃ間には、家事動線Ｍとしての通路が確保される。各物干し設備２７ｃは、長尺な物干し竿Ｉや、ハンガーや、えもんがけ等を支持可能である。物干し設備２７ｃの構造は特に限定されず、内壁あるいは天井に固定される固定式であってもよいし、内壁に着脱可能に取り付けられる着脱式であってもよいし、可動式であってもよい。あるいは物干し設備２７ｃは、乾燥室２７の天井から吊り下げられる昇降式であって、不使用時には乾燥室２７の天井に収納されてもよい。
【００３９】
物干し設備２７ｃおよび作業台２７ｄ間は家事動線Ｍとしての通路を構成する。乾燥室２７に居る居住者は家事動線Ｍに立ったりしゃがんだりして衣類を物干し設備２７ｃに吊るしたり作業台２７ｄ上で畳んで小さくしたり等、衣類に関する家事をこなすことができる。またリビングダイニング領域２９に居る居住者も作業台２７ｄ上で家事に協力することができる。
【００４０】
乾燥室２７の乾燥設備は、特に限定されないが例えば、天井、壁、あるいは床に据え付けられた除湿機や、エアコンや、換気扇や、送風機等である。具体的には換気扇あるいは送風機は、外壁８２を貫通するように設けられる。乾燥設備は、乾燥室２７内の湿気を屋外へ排出する。これにより雨の日であっても濡れた衣類を物干し設備２７ｃに吊るして乾燥室２７で乾かすことができる。
【００４１】
洗濯室２６は乾燥室２７の北側に隣接して配置される。洗濯室２６は乾燥室２７よりも小さな面積の空間であり、例えば建物横方向に長く建物縦方向に短い長方形といった矩形の間取りに形成される。洗濯室２６のうち建物横方向一方には防水パンＳおよび上水道栓（図示せず）が設けられる。防水パンＳは洗濯室２６の床に取付固定される盆形状の台座であり、図示しない洗濯機を下方から支持する洗濯機区画である。また防水パンＳは、洗濯機の排水を受け入れる排水設備である。上水道栓は洗濯機に浄水を給水する給水設備である。洗濯室２６のうち建物横方向他方には物干し設備兼クローゼット２６ｃが設けられる。物干し設備兼クローゼット２６ｃは多数のハンガーやえもんがけ等を吊るすことができる。
【００４２】
本実施形態によれば、物干し設備２７ｃおよび物干し設備兼クローゼット２６ｃを有することから、小型の集合住宅でありながら大容量の屋内乾燥スペースを確保することができる。
【００４３】
洗濯室２６は、建物縦方向一方で後述する洗面室２５と接続し、建物縦方向他方で乾燥室２７と接続し、これら２つの接続箇所を通過する家事動線Ｍを構成する。なお洗濯室２６とリビングダイニング領域２９との境界には内壁が設置される、このため両室は接続しない。
【００４４】
防水パンＳと物干し設備兼クローゼット２６ｃは間隔を空けて配置され、防水パンＳおよび物干し設備兼クローゼット２６ｃ間は家事動線Ｍとしての通路が確保される。居住者は防水パンＳと物干し設備兼クローゼット２６ｃとの間に立ったりしゃがんだりして洗濯に関する家事をこなすことができる。なお図示しない変形例として、防水パンＳと物干し設備兼クローゼット２６ｃの位置を交換してもよい。
【００４５】
洗面室２５は洗濯室２６の北側に隣接して配置され、脱衣室を兼用する。洗面室２５は洗濯室２６よりも大きな面積の空間であり、例えば建物横方向に長く建物縦方向に短い長方形といった矩形の間取りに形成される。洗面室２５のうち建物横方向一方には洗面台２５ｓが設けられる。洗面台２５ｓは上水道栓（図示せず）を有し、下水道（図示せず）と接続する。
【００４６】
洗面室２５は、建物横方向他方でリビングダイニング領域２９と接続し、建物縦方向他方で洗濯室２６と接続し、これら２つの接続箇所を通過する家事動線Ｍを構成する。
【００４７】
浴室２４は洗面室２５の北側に隣接して配置される。また浴室２４と、洗面室２５と、洗濯室２６と、乾燥室２７は、この順序で建物縦方向に整列して配置され、建物縦方向一方の戸境壁７０に隣接する。浴室２４は洗面室２５と略同じか、あるいは洗面室２５よりも大きな面積の空間であり、例えば矩形の間取りに形成される。浴室２４は建物縦方向他方で洗面室２５と接続する。
【００４８】
ここで附言すると、図１Ａに長さＬで示すようにリビングダイニング領域２９は建物縦方向に延びる縦長の間取りとされ、洗面室２５と、洗濯室２６と、乾燥室２７に隣接する。長さＬは連続する洗面室２５と、洗濯室２６と、乾燥室２７の合計長さ寸法以上である。そしてリビングダイニング領域２９は、洗面室２５と、乾燥室２７に接続する。これにより洗面室２５と、洗濯室２６と、乾燥室２７と、リビングダイニング領域２９とを連絡し、洗面室２５に戻る回遊式の家事動線Ｍを構成する。洗面室２５と、洗濯室２６と、乾燥室２７のうち少なくとも１つには、収納棚が設けられるとよい。洗面室２５の建物横方向他方には収納棚２５ｔが設けられる。収納棚２５ｔと洗面台２５ｓ間には家事動線Ｍが確保される。
【００４９】
図４は、住宅２０を建物横方向に直交する平面で切断し、切断面の一部を建物横方向他方（西側）からみた状態を表す断面図である。家事動線Ｍは洗面室２５と乾燥室２７を最短距離で連絡する。洗濯室２６の収納棚２６ｔは、防水パンＳの直上に設置される。乾燥室２７の収納棚２７ｔは、物干し設備２７ｃの直上および／または直下に設置される。図４に示すように、洗面室２５と、洗濯室２６と、乾燥室２７における床４３から天井４４までの高さＨは、成人の身長の１．５倍（２．２≦Ｈ≦２．７[ｍ]）とされる。これにより小型の住宅であっても十分な収納を確保できる。
【００５０】
さらに乾燥室２７の収納棚２７ｔは、図３に示すように作業台２７ｄの天板直下に設置されてもよい。
【００５１】
説明を図１Ａに戻すと、廊下２２およびトイレ室２３は浴室２４の北側に隣接して配置される。トイレ室２３は戸境壁７０に隣接配置される。廊下２２はトイレ室２３と寝室４０との間で建物縦方向に延び、建物縦方向一方（北側）で玄関区画２１と接続し、建物縦方向一方（南側）でリビングダイニング領域２９あるいはキッチン領域３０と接続する。玄関区画２１は住宅２０の建物縦方向一方縁（北側）に配置される。玄関区画２１と共用廊下９０の境界には玄関扉２１ｄが設けられる。
【００５２】
なお図示しない変形例として、廊下２２がキッチン領域３０と浴室２４との間で建物縦方向他方（南側）へさらに延びて、洗面室２５と接続してもよい。
【００５３】
寝室４０はキッチン領域３０や乾燥室２７よりも大きいが、リビングダイニング領域２９よりも小さい。寝室４０とキッチン領域３０とリビングダイニング領域２９は、この順序で建物縦方向に整列して配置され、建物縦方向他方の戸境壁７０に隣接する。
【００５４】
洗面室２５と洗濯室２６との境界には、開閉可能な第１出入口３１が設けられる。洗濯室２６と乾燥室２７の境界には、開閉可能な第２出入口３２が設けられる。第１出入口３１および第２出入口３２は例えば引き戸である。
【００５５】
洗面室２５とリビングダイニング領域２９との境界には、開閉可能な第３出入口３３が設けられる。第３出入口３３は例えば片開き戸である。回遊式の家事動線Ｍは第３出入口３３と、第１出入口３１と、第２出入口３２と、境界４２を通過して、第３出入口３３に戻る。
【００５６】
乾燥室２７とバルコニー２８の境界には、開閉可能な第４出入口３４が設けられる。第４出入口３４は、例えば引き戸であり、屋内外を接続する。
【００５７】
この他、廊下２２と、トイレ室２３と、浴室２４と、寝室４０には、開閉可能な出入口３５，３６，３７，３８が設けられる。第１出入口３１〜第３出入口３３、出入口３５，３６，３７，３８は内壁を貫通するように設けられる内扉である。
【００５８】
ところで本実施形態の住宅２０は、図１Ａに示すように洗面台２５ｓを有する洗面室２５と、洗濯機が置かれるための洗濯機区画になる防水パンＳ、洗濯機に給水するための給水設備、および洗濯機からの排水を受け取る排水設備を有する洗濯室２６と、リビングダイニング領域２９に隣接して当該リビングダイニング領域２９と常時連通し、物干し設備２７ｃを有する乾燥室２７と、洗面室２５と洗濯室２６を接続する第１出入口３１と、洗濯室２６と乾燥室２７を接続する第２出入口３２とを備える。
【００５９】
かかる実施形態によれば、家事スペースである洗面室２５、洗濯室２６、および乾燥室２７と、居間スペースであるリビングダイニング領域２９を連絡する家事動線Ｍが構成される。また乾燥室２７の内部がリビングダイニング領域２９に居る居住者の視界に入る。これにより、リビングダイニング領域２９に居る居住者に家事へ参加することを促すことができる。
【００６０】
したがって洗濯に関する家事が、特定の居住者(例えば母親や妻)に集中しないよう、居住者全員でシェアされて、洗濯に関する家事を短時間で効率良く完了することができる。
【００６１】
特に共働き世帯にあっては１日２４時間あると雖も家族全員が帰宅して同じ屋根の下で会話することができる機会は短いところ、家族の中で会話する時間を確保でき、乾燥室で家事を楽しくこなすことができる。
【００６２】
また本実施形態の住宅２０によれば、乾燥室２７とリビングダイニング領域２９との境界４２に作業台２７ｄが設置されることから、リビングダイニング領域２９に居る居住者は作業台２７ｄの天板上で家事に参加することができる。
【００６３】
あるいは図示しない変形例として、図１Ａに示す間取りに関し、作業台２７ｄを設置することなく、乾燥室２７とリビングダイニング領域２９が両者の境界４２全体で常時連通されてもよい。これによりリビングダイニング領域２９から乾燥室２７に向かって、あるいは逆方向に、視界が広く確保されて、リビングダイニング領域２９に居る居住者に対して家事への参加を益々促すことができる。
【００６４】
また本実施形態の住宅２０は洗面室２５とリビングダイニング領域２９を接続する第３出入口３３をさらに備えることから、家事スペースである洗面室２５、洗濯室２６、および乾燥室２７と、居間スペースであるリビングダイニング領域２９を連絡し、洗面室２５に戻る回遊式の家事動線Ｍが構成される。これにより、リビングダイニング領域２９に居る居住者に家事へ参加することを一層促すことができる。
【００６５】
また本実施形態の住宅２０は、屋外のバルコニー２８と屋内の乾燥室２７を接続する第４出入口３４をさらに備えることから、洗濯室２６からバルコニー２８まで延びる家事動線Ｎが構成される。家事動線Ｎは小区画である乾燥室２７を経由することから最短距離にされる。したがって濡れた衣類を洗濯室２６からバルコニー２８へ運搬して屋外で干す家事と、乾いた衣類をバルコニー２８から乾燥室２７へ取り込んで小さく折り畳む家事と、濡れた衣類をバルコニー２８から乾燥室２７へ取り込んで干す家事を、短い家事動線で効率良く行うことができる。
【００６６】
また本実施形態の住宅２０は、建物横方向に間隔を空けて配置される２枚の戸境壁７０，７０の間口の間口を占める集合住宅であり、リビングダイニング領域２９および乾燥室２７が住宅２０の間口全体を占める。これにより小型の住宅において楽しく家事をこなすことができる。なお図示しない変形例として、２枚の戸境壁７０のいずれか一方が外壁８０であってもよい。
【００６７】
次に本発明の第２実施形態につき説明する。図６は、本発明の第２実施形態になる住宅の間取りを示す平面図である。図６には、家事動線Ｍ２，Ｎ２を矢印で示し、住宅７２の内壁および外壁を二重線で示し、内壁に設けられる内扉を図略する。第２実施形態につき、上述した実施形態と重複する内容については説明を省略する。図６に示す実施形態では、寝室１，２、トイレＷ、玄関区域（玄関）、キッチン領域（炊事作業台に符号Ｋを付す）、ダイニング領域Ｄ、リビング領域Ｌ、廊下Ｃ、バルコニーＢＡＬ、水回り領域Ｂ、乾燥室Ｕを備える。ダイニング領域Ｄとリビング領域Ｌは別々の室にされる。ただしダイニング領域Ｄの隅部とリビング領域Ｌの隅部は隣接し、居住者は両室の間を行き来可能である。ダイニング領域Ｄおよびキッチン領域Ｋは１つの大部屋を構成する。廊下Ｃはダイニング領域Ｄと扉レスで連通可能にされる。
【００６８】
水回り領域Ｂは、浴室、洗面台、洗濯機区画、給水設備、および排水設備を有する。乾燥室Ｕはダイニング領域Ｄに隣接する。そしてダイニング領域Ｄと水回り領域Ｂが扉レスで連通可能に構成される。
【００６９】
図６に示す実施形態によれば、ダイニング領域Ｄと家事スペースである乾燥室Ｕが隣接し、扉レスで連通可能とされる。これにより乾燥室Ｕとダイニング領域Ｄを連絡する家事動線Ｍ２が構成され、乾燥室Ｕの内部がダイニング領域Ｄに居る居住者の視界に入ることから、ダイニング領域Ｄに居る居住者に家事へ参加することを促すことができる。
【００７０】
また図６に示す実施形態によれば、家事スペースである乾燥室Ｕと、リビング領域Ｌと、バルコニーＢＡＬを連絡する家事動線Ｍ２が構成される。
【００７１】
次に本発明の第３実施形態につき説明する。図７は、本発明の第３実施形態になる住宅７３の間取りを示す平面図である。図７には、家事動線Ｍ３，Ｎ３を矢印で示し、上述した実施形態と重複する内容については説明を省略する。図７に示す実施形態では、ダイニング領域Ｄとリビング領域Ｌは別々の室にされ、これら両室の間には廊下Ｃが配置される。居住者は廊下Ｃを介してダイニング領域Ｄからリビング領域Ｌへ、あるいは逆方向に移動する。ダイニング領域Ｄおよびキッチン領域Ｋは１つの大部屋を構成する。廊下Ｃはリビング領域Ｌと扉レスで連通可能にされる。
【００７２】
乾燥室Ｕとリビング領域Ｌは、互いに隣接し、扉レスで連通可能にされる。水回り領域Ｂは、廊下Ｃを介して乾燥室Ｕと接続する。また水回り領域Ｂは、廊下Ｃを介してバルコニーＢＡＬと接続する。また水回り領域Ｂは、廊下Ｃを介してキッチン領域Ｋおよびダイニング領域Ｄと接続する。キッチン領域Ｋおよびダイニング領域Ｄは廊下Ｃを介してバルコニーＢＡＬと接続する。
【００７３】
図７に示す実施形態によれば、リビング領域Ｌと家事スペースである乾燥室Ｕが隣接し、扉レスで連通可能とされる。これにより乾燥室Ｕとリビング領域Ｌを連絡する家事動線Ｍ３が構成され、乾燥室Ｕの内部がリビング領域Ｌに居る居住者の視界に入ることから、リビング領域Ｌに居る居住者に家事へ参加することを促すことができる。
【００７４】
また図７に示す実施形態によれば、家事スペースである乾燥室Ｕと、ダイニング領域Ｄと、バルコニーＢＡＬを連絡する家事動線Ｎ３が構成される。
【００７５】
次に本発明の第４実施形態につき説明する。図８は、本発明の第４実施形態になる住宅の間取りを示す平面図である。図８には、家事動線Ｍ４，Ｎ４を矢印で示し、上述した実施形態と重複する内容については説明を省略する。図８に示す実施形態は、図７に示す実施形態の寝室２およびダイニング領域Ｄの配置を入れ替えたにすぎず、略同一である。水回り領域Ｂは、廊下Ｃを介してバルコニーＢＡＬと接続する。キッチン領域Ｋおよびダイニング領域ＤはバルコニーＢＡＬと隣接し、互いに接続する。家事動線Ｍ４は前述した家事動線Ｍ３と同一である。
【００７６】
図８に示す実施形態によれば、家事スペースである乾燥室Ｕと、ダイニング領域Ｄと、バルコニーＢＡＬを連絡する家事動線Ｎ４が構成される。
【００７７】
次に本発明の第５実施形態につき説明する。図９は、本発明の第５実施形態になる住宅の間取りを示す平面図である。図９には、家事動線Ｍ５，Ｎ５を矢印で示し、上述した実施形態と重複する内容については説明を省略する。図９に示す第５実施形態の住宅７５は、前述した住宅７２（図６）と略同一である。ただし図９に示す実施形態では、前述した住宅７２で別室にされたリビング領域Ｌを廃止し、キッチン領域Ｋとダイニング領域Ｄが扉レスで連通し、ダイニング領域Ｄとリビング領域Ｌが扉レスで連通し、これら３領域が大部屋のリビングダイニングキッチン室を構成する。
【００７８】
さらにリビング領域Ｌと乾燥室Ｕが扉レスで連通する。またリビング領域ＬとバルコニーＢＡＬが隣接し、接続される。寝室１は、リビング領域Ｌの隅部と隣接して接続され、バルコニーＢＡＬと隣接して接続される。
【００７９】
図９に示す実施形態によれば、キッチン領域Ｋとダイニング領域Ｄとリビング領域Ｌと乾燥室Ｕを連絡する家事動線Ｍ５が構成される。また家事スペースである乾燥室Ｕと、リビング領域Ｌと、寝室１と、バルコニーＢＡＬを連絡する家事動線Ｎ５が構成される。
【００８０】
次に参考例１につき説明する。図１０は、参考例１になる住宅の間取りを示す平面図である。図１０には、家事動線Ｍ６，Ｎ６を矢印で示し、上述した実施形態と重複する内容については説明を省略する。図１０に示す参考例１の住宅７６では、乾燥室Ｕが廊下Ｃを介してダイニング領域Ｄと接続する。ダイニング領域Ｄは扉レスでキッチン領域Ｋと連通する。またダイニング領域Ｄは扉レスでリビング領域Ｌと連通する。リビング領域ＬはバルコニーＢＡＬと隣接して接続する。
【００８１】
図１０に示す参考例１によれば、家事スペースである乾燥室Ｕと、廊下Ｃと、ダイニング領域Ｄを連絡する家事動線Ｍ６が構成される。また乾燥室Ｕと、廊下Ｃと、ダイニング領域Ｄと、バルコニーＢＡＬを連絡する家事動線Ｎ６が構成される。
【００８２】
次に本発明の参考例２につき説明する。図１１は、参考例２になる住宅の間取りを示す平面図である。図１１には、家事動線Ｍ７，Ｎ７を矢印で示し、上述した実施形態と重複する内容については説明を省略する。図１１に示す参考例２の住宅７７では、乾燥室Ｕが廊下Ｃを介してダイニング領域Ｄと接続する。また廊下Ｃが扉レスでリビング領域Ｌと連通する。リビング領域Ｌとダイニング領域Ｄは廊下Ｃで隔てられる。ダイニング領域Ｄはキッチン領域Ｋと隣接するが内壁および内扉で仕切られる。リビング領域ＬはバルコニーＢＡＬと隣接して接続する。ダイニング領域ＤもバルコニーＢＡＬと隣接して接続する。
【００８３】
図１１に示す参考例２によれば、家事スペースである乾燥室Ｕと、廊下Ｃと、ダイニング領域Ｄを連絡する家事動線Ｍ７が構成される。また乾燥室Ｕと、廊下Ｃと、リビング領域Ｌを連絡する家事動線が構成される。また家事スペースである乾燥室Ｕと、廊下Ｃと、ダイニング領域Ｄと、バルコニーＢＡＬを連絡する家事動線Ｎ７が構成される。
【００８４】
次に参考例３につき説明する。図１２は、参考例３になる住宅の間取りを示す平面図である。図１２には、家事動線Ｍ８，Ｎ８を矢印で示し、上述した実施形態と重複する内容については説明を省略する。図１２に示す参考例３の住宅７８では、乾燥室Ｕが廊下Ｃを介してキッチン領域Ｋと接続する。また乾燥室Ｕが廊下Ｃを介してリビング領域Ｌと連通する。乾燥室Ｕは内壁でキッチン領域Ｋおよびリビング領域Ｌと隔てられる。ダイニング領域Ｄはキッチン領域Ｋと扉レスで連通する。またリビング領域Ｌキッチン領域Ｋと扉レスで連通する。ダイニング領域ＤはバルコニーＢＡＬと隣接して接続する。
【００８５】
図１２に示す参考例３によれば、家事スペースである乾燥室Ｕと、廊下Ｃと、リビング領域Ｌと、キッチン領域Ｋを連絡する家事動線Ｍ８が構成される。また乾燥室Ｕと、廊下Ｃと、リビング領域Ｌと、ダイニング領域Ｄと、バルコニーＢＡＬを連絡する家事動線Ｎ８が構成される。
【００８６】
次に参考例４につき説明する。図１３は、参考例４になる住宅の間取りを示す平面図である。図１３には、家事動線Ｍ９，Ｎ９を矢印で示し、上述した実施形態と重複する内容については説明を省略する。図１３に示す参考例４の住宅７９では、乾燥室Ｕが廊下Ｃを介してキッチン領域Ｋと接続する。つまり乾燥室Ｕは廊下Ｃでキッチン領域Ｋおよびリビング領域Ｌと隔てられる。リビング領域Ｌはキッチン領域Ｋと扉レスで連通する。ダイニング領域Ｄはキッチン領域Ｋと内壁および内扉で仕切られる。またダイニング領域Ｄはリビング領域Ｌと内壁および内扉で仕切られる。リビング領域ＬはバルコニーＢＡＬと隣接して接続する。
【００８７】
図１３に示す参考例４によれば、家事スペースである乾燥室Ｕと、廊下Ｃと、キッチン領域Ｋと、リビング領域Ｌを連絡する家事動線Ｍ９が構成される。また乾燥室Ｕと、廊下Ｃと、キッチン領域Ｋと、リビング領域Ｌと、バルコニーＢＡＬを連絡する家事動線Ｎ９が構成される。
【００８８】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【産業上の利用可能性】
【００８９】
この発明になる住宅は、建築において有利に利用される。
【符号の説明】
【００９０】
１０，２０  住宅、      ２１  玄関区画、      ２１ｄ  玄関扉
２２  廊下、      ２３  トイレ室、      ２４  浴室、      
２５  洗面室、      ２５ｓ  洗面台、      ２６  洗濯室、      
２６ｃ  物干し設備兼クローゼット、      ２７  乾燥室、      
２７ｃ  物干し設備、      ２７ｄ  作業台、      ２８  バルコニー、      
２８ｃ  物干し設置具、      ２９  リビング領域３０  キッチン室、      
３０ｄ  炊事作業台、      ３１  第１出入口、      ３２  第２出入口、      
３３  第３出入口、      ３４  第４出入口、      ４０  寝室、      
４１，４２  境界、      ４３  床、      ４４  天井、      ７０  戸境壁、    
８０，８１，８２  外壁、      ９０  共用廊下、      Ｉ  物干し竿、      
Ｍ，Ｎ  家事動線、      Ｒ  冷蔵庫区画、      Ｓ  防水パン。
【図１Ａ】
2018178536.tif 000003
【図１Ｂ】
2018178536.tif 000004
【図２】
2018178536.tif 000005
【図３】
2018178536.tif 000006
【図４】
2018178536.tif 000007
【図５】
2018178536.tif 000008
【図６】
2018178536.tif 000009
【図７】
2018178536.tif 000010
【図８】
2018178536.tif 000011
【図９】
2018178536.tif 000012
【図１０】
2018178536.tif 000013
【図１１】
2018178536.tif 000014
【図１２】
2018178536.tif 000015
【図１３】
2018178536.tif 000016